(57)【特許請求の範囲】
【請求項１】
背景板と、前記背景板の表面側に配置された月表示板と、
前記月表示板を前記背景板に対して月齢周期で一回転させる月駆動機構と、
前記背景板の表面に形成されかつ前記月表示板の回転中心に対して偏心した円形の内領域と、
前記背景板の表面の前記内領域の外側に形成された外領域と、
前記月表示板の回転中心から外れた部位に形成された円形の月表示孔と、を備え、
前記内領域と前記外領域と前記月表示孔により、月の満ち欠け状態を表示することを特徴とする月齢表示装置。
【請求項２】
請求項１に記載の月齢表示装置において、前記内領域の前記回転中心から最も離れた部位の前記回転中心からの距離と前記月表示孔の前記回転中心から最も離れた部位の前記回転中心からの距離とが略一致し、前記内領域の前記回転中心に最も近い部位の前記回転中心からの距離と前記月表示孔の前記回転中心最も近い部位の前記回転中心からの距離とが略一致していることを特徴とする月齢表示装置。
【請求項３】
請求項１または請求項２に記載された月齢表示装置において、前記月表示板の内側に配置されて前記回転中心と同軸で回転可能な地球表示板と、前記地球表示板の表面に形成されて前記回転中心を基準とした一つの方向を示す現在位置表示部と、前記地球表示板を前記背景板に対して前記月表示板と同方向へ一日で一回転させる地球駆動機構と、を備えたことを特徴とする月齢表示装置。
【請求項４】
請求項１から請求項３の何れかに記載された月齢表示装置において、前記背景板に対して固定されかつ前記月表示板の外側の新月に相当する側に設置された太陽表示部を備えたことを特徴とする月齢表示装置。
【請求項５】
請求項１から請求項４の何れかに記載された月齢表示装置において、月表示板は指針式の時計の文字板内に組み込まれかつ前記回転中心は前記時計の指針の回転軸と同軸とされていることを特徴とする月齢表示装置。
【請求項６】
請求項１から請求項５の何れかに記載された月齢表示装置を備えたことを特徴とする時計。
【発明の詳細な説明】
【技術分野】
【０００１】
本発明は月齢表示装置および時計に関し、現在の月齢（月の満ち欠け）を表示する装置に関する。
【背景技術】
【０００２】
従来、腕時計等の時計装置においては、時間の表示を行うとともに、日付などの暦の表示が行われている。さらには、暦の元となった月や太陽などの天体の運行をも表示しようとする技術が提案されている。
【０００３】
特許文献１には、通常の時計表示に加えて、太陽と地球と月との各々を模した表示子が暦に従って移動する構成が開示されている。この構成では、各々の位置関係が視覚的に解りやすく表示される。
特許文献２には、月の満ち欠けを表す構成が開示されている。この構成では、外側文字板と内側文字板との間に全周にわたる隙間穴が形成され、内外の文字板の裏側の月齢車に描かれた月表示が隙間穴を透して見える。内側文字板は指針軸に対して偏心しているとともに、周囲には月の満ち欠けを形成するための円弧形状が形成され、月齢車の円形の月表示の一部を隠すことで月の満ち欠けが表される。
特許文献３にも、月の満ち欠けを表す構成が開示されている。この構成では、特許文献２のような全周にわたる隙間穴ではなく、部分的な隙間穴から月表示を露出させる。隙間の幅あるいは円弧状の輪郭で円形の月表示を一部隠して月の満ち欠けを表している。
特許文献４には、全周にわたる隙間から背景の回転板の月表示を表示させる点で特許文献２と類似するが、背景の回転板は二枚とされてそれ自体で月の満ち欠けが表示できるようになっている。
【０００４】
【特許文献１】特開平５−１２６９６４号公報
【特許文献２】実開昭５９−９０８８１号公報
【特許文献３】特開昭６３−２３４１８９号公報
【特許文献４】特開昭６０−５０４７７号公報
【発明の開示】
【発明が解決しようとする課題】
【０００５】
しかし、前述した従来の構成にはそれぞれ下記の問題がある。
特許文献１では、文字板上に太陽と地球と月などが周回し、各々の位置関係は把握できるものの、月についてその満ち欠けが分かりやすく表現できているとは言いがたい。
特許文献２〜４では、月の満ち欠けを表す隙間穴を形成するために、文字盤に隙間穴をまたぐブリッジが必要であり、デザインに制約がある。また、太陽と地球と月の位置関係を示すこと、あるいは地球から見た月の方角を読み取ることはできない。
特許文献４は、月の満ち欠けと方向を比較的詳細に表示できるものの、そのために背景の回転板が２枚必要であり、表示構造が複雑化する。
【０００６】
本発明の主な目的は、簡潔な構造およびデザインであって、月の満ち欠けの状態および太陽と地球と月の位置関係が視覚的に分かりやすく表示できる月齢表示装置および時計を提供することにある。
【課題を解決するための手段】
【０００７】
本発明の月齢表示装置は、背景板と、前記背景板の表面側に配置された月表示板と、
前記月表示板を前記背景板に対して月齢周期で一回転させる月駆動機構と、
前記背景板の表面に形成されかつ前記月表示板の回転中心に対して偏心した円形の内領域と、
前記背景板の表面の前記内領域の外側に形成された外領域と、
前記月表示板の回転中心から外れた部位に形成された円形の月表示孔と、を備え、
前記内領域と前記外領域と前記月表示孔により、月の満ち欠け状態を表示することを特徴とする。
【０００８】
このような本発明では、月表示板に形成された円形の月表示孔により月が表され、月表示孔を透して露出される背景板の内領域および外領域により月の満ち欠けが表される。
内領域を明度の低い暗領域とし、外領域を明度の高い明領域とした場合、月表示孔が内領域の偏心した側にある時、月表示孔からは専ら内領域（暗領域）が露出され、この状態が新月（月齢０日）を表すものとなる。月表示孔が暗領域の偏心した側と反対側にある時、月表示孔からは専ら外領域（明領域）が露出され、この状態が満月（月齢１５日）を表すものとなる。月表示孔が前述した二位置の途中にある時、月表示孔からは外領域と内領域と（明領域と暗領域と）が月表示孔の位置に応じた比率で表示され、上弦の月（月齢０〜１５日）あるいは下弦の月（月齢１５〜３０日）を表すものとなる。
従って、月表示板を背景板に対して回転させ、月表示孔を背景板の表面に沿って移動させることで、月表示板から露出する外領域および内領域の比率を変化させ、これにより月の満ち欠けを表現することができる。
なお、外領域を明度の低い暗領域とし、内領域を明度の高い明領域としてもよい。この場合には新月と満月および月の満ち欠けの見え方がちょうど逆になる。
【０００９】
月表示板の背景板に対する回転速度は月齢速度とする。一般に、月齢周期として２９．５日を用いることで、実際の月の満ち欠けの周期に略一致させることができる。誤差分の累積に関しては、一定期間経過毎の調整等の既存の技術により対応することができる。
月表示板の回転を利用して、月の満ち欠けとともに月の南中時刻を読み取ることもできる。すなわち、月の南中は、新月の時に１２時（正午）、満月の時に２４時（午前０時）であり、満ち欠けとともに変化する。従って、月表示板の回転に伴う月表示孔の位置により、月の南中時刻を知ることができる。このために、月表示孔の周囲等に２４時制の目盛りを形成しておけば、南中時刻の読み取りも容易である。
【００１０】
なお、外領域および内領域は、背景板の表面に対する塗装あるいは着色シートの貼付など適宜な構成とすることができる。通常は、外領域を形成しておき、そこに内領域を重ねて形成することが簡易といえる。
内領域の輪郭、つまり周縁の形状は、全体として略円形であればよく、真円であってもよいが、月の満ち欠けに応じて適宜変化させてもよい。
例えば、前記内領域の周縁には前記月表示孔の内径に相当した弦長を有する複数の円弧形状が形成されるようにしてもよい。このような構成では、内領域の周縁に形成された円弧形状の弦長（周縁における周方向の長さ）と月表示孔の内径とが対応しているため、各円弧形状が個々に月表示孔の内側に現れる。ここで、月表示板と背景板とは月齢に応じて順次送られ、月表示孔には月齢に対応した円弧形状が配置され、月表示孔からは月齢に対応した円弧形状によるその月齢としてより適切な満ち欠け形状を表すことができる。なお、月表示孔の内径に相当した弦長を有する複数の円弧形状としては、月表示板を月齢に応じて回転させた際に、月表示孔に現れる範囲の周縁を、この状態で月表示孔内にその月齢として適切な形状の月の満ち欠けを表すように変形することで、形成することができる。
【００１１】
本発明において、前記内領域の前記回転中心から最も離れた部位の前記回転中心からの距離と前記月表示孔の前記回転中心から最も離れた部位の前記回転中心からの距離とが略一致し、前記内領域の前記回転中心に最も近い部位の前記回転中心からの距離と前記月表示孔の前記回転中心に最も近い部位の前記回転中心からの距離とが略一致していることが望ましい。
このような本発明では、円形の内領域とその外側の明領域で月表示孔内の満ち欠けの表現を最適な状態で行うことができる。内領域を前述した距離関係にすることで、月表示孔における新月時および満月時の表示を内領域のみまたは外領域のみとすることができる。これにより、外領域および内領域をそれぞれ明暗何れかとすることで、月表示孔から見える月の満ち欠けを満月または新月に相当する状態とすることができる。
【００１２】
本発明において、前記月表示板の内側に配置されて前記回転中心と同軸で回転可能な地球表示板と、前記地球表示板の表面に形成されて前記回転中心を基準とした一つの方向を示す現在位置表示部と、前記地球表示板を前記背景板に対して前記月表示板と同方向へ一日で一回転させる地球駆動機構と、を備えたことが望ましい。
このような本発明では、月表示板が月齢周期で回転し、地球表示板が一日一回転するため、地球表示板と月表示孔とで月と地球との相対位置が表現され、地球から見た月の運行を表現することができる。つまり、現在位置表示部に対する月表示孔の方角を、地球上の現在位置から実際に月が見える方角に対応するように地球表示板の位相を合わせておけば、現在位置表示部から見た月表示孔の方角を読み取ることで、月の見える方角を読み取ることができる。
地球表示板の位相を合わせる操作としては、内領域を明度の低い暗領域とし、外領域を明度の高い明領域とした場合、満月の南中状態（午前０時）、つまり月表示孔が背景板の内領域（暗領域）の偏心方向と反対側にあり、時刻が午前０時の状態で、現在位置表示部が月表示孔と最接近して対向する状態とする。位相の調整にあたっては、地球表示板の回転軸に対する固定角度を調整してもよいし、地球表示板における現在位置表示の位置を移動させてもよい。
【００１３】
本発明において、前記背景板に対して固定されかつ前記月表示板の外側の新月に相当する側に設置された太陽表示部を備えたことが望ましい。
このような本発明では、太陽表示部により太陽が表現され、月表示孔で表現される月と、地球表示板で表現される地球との三者の相対位置を把握することができ、満潮と干潮、大潮と小潮、潮汐力などの自然現象をイメージしやすくすることができる。
なお、太陽表示部があることで、前述した２４時制の目盛と同様に、この太陽表示部を用いて月の南中時間を把握することもできる。
【００１４】
本発明において、前記内領域を暗領域とする場合、前記内領域は前記背景板の表面に向かって下側に偏心するように配置することが望ましい。前記内領域を明領域とする場合、前記内領域は前記背景板の表面に向かって上側に偏心するように配置することが望ましい。
このような本発明では、月表示孔が背景板の上側にある際に満月、下側にある際に新月となり、その途中では、月表示孔は背景板の左右に表れる。この構成では、満月が最も上側にあることで現実感が得やすいとともに、新月の前後の月齢が下側になることで、暗領域が上で明領域が下となる現実の月の見え方に近いものとすることができる。
【００１５】
本発明において、前記内領域を暗領域とする場合、前記内領域は前記背景板の表面に向かって上側に偏心するように配置してもよい。前記内領域を明領域とする場合、前記内領域は前記背景板の表面に向かって下側に偏心するように配置してもよい。
このような本発明では、月表示孔が背景板の上側にある際に新月、下側にある際に満月となり、その途中では、月表示孔は背景板の左右に表れる。この構成では、太陽が上側であることが前提となるため、月と地球と太陽との関係を表す場合に理解が容易である。また、月表示孔に対応した２４時制の表示を設置する場合に、０時（２４時）が下、１２時が上になるため、一日の生活周期としても馴染みやすいといえる。
【００１６】
本発明において、月表示板は指針式の時計の文字板内に組み込まれかつ前記回転中心は前記時計の指針の回転軸と同軸とされていることが望ましい。
このような本発明では、腕時計、置き時計、掛け時計などの時計に組み込むことで、それ自体の計時機能および指針駆動機能を利用して月表示板等の駆動および制御を行うことができる。そして、時計としての機能に月齢表示、月の運行表示機能を付加することで、商品性を高めることができる。
【００１７】
なお、本発明の月齢表示装置は、時計に組み込まれるものに限らず、他の器具などに組み込まれてもよく、あるいは独立した製品としてもよい。例えば、子供用の学習机、その他の家具類に組み込んでもよく、屋外で用いるキャンプ用品やリュックサック等に組み込んでもよい。あるいは、独立した月齢表示装置として、掌に収まる程度の小型のケースに納めれば、天体観測時に星座早見表と同時に用いることができ、ノベルティグッズとして利用することもできる。
【００１８】
本発明の時計は、前述した本発明の月齢表示装置を備えたことを特徴とする。
このような本発明においては、時計において前述した月齢表示装置の作用効果を得ることができる。時計としては腕時計、置き時計、掛け時計あるいは各種機器や調度類に組み込まれる時計など、任意の時計を含むことができる。
【発明を実施するための最良の形態】
【００１９】
以下、本発明の具体的な実施形態を図面に基づいて説明する。
［第１実施形態］
図１ないし図４には、本発明の第１実施形態が示されている。
図１は、本発明に係る月齢表示装置である腕時計１の表示部２を示す平面図である。図２は、表示部２およびその駆動機構３を示す分解斜視図である。図３は、表示部２および駆動機構３を示す断面図である。図４は、駆動機構３を示す模式図である。
【００２０】
図１ないし図３において、腕時計１は指針式の時計装置であり、表示部２は指針式の時刻表示を行うための文字板２０、時針２１、分針２２を備えている。
文字板２０は、金属あるいは合成樹脂などの薄い板材から形成された円盤であり、３０度間隔で時間を示す時間目盛２３が配列されている。文字板２０は、腕時計１の本体であるケース４に装着され、時針２１、分針２２とともにカバーガラス等で覆われる。時針２１、分針２２は、文字板２０の中央に配置された同心状の回転軸２４，２５に接続され、前述したケース４内に収容される指針式時計用ムーブメントにより駆動される。なお、腕時計１は時針２１、分針２２に加えて秒針を備えていてもよい。以上の構成は既存の技術に基づいて適宜実現すればよい。
本実施形態において、時針２１、分針２２の回転軸２４，２５の中心は、本発明における回転中心Ｃとされる。
【００２１】
本実施形態において、文字板２０は、中央部に円形の開口２９を有し、その内側には月表示板３０、背景板４０、地球表示板５０が配置されている。
地球表示板５０は、金属あるいは合成樹脂などの薄い板材から形成された円盤であり、中央に円形の軸孔５１を有する。地球表示板５０は、時針２１の回転軸２５を軸孔５１に挿通され、回転中心Ｃを軸として回転自在に支持されている（図３参照）。
【００２２】
月表示板３０は、金属あるいは合成樹脂などの薄い板材から形成された円盤であり、中央に円形の開口３１を有する。開口３１の内周は前述した地球表示板５０の外周に嵌め合わせられ、月表示板３０は地球表示板５０の周囲を回転可能である。この際、月表示板３０の回転軸も回転中心Ｃとなる。
月表示板３０の外周は、文字板２０の開口２９の内周と略同径とされている。但し、月表示板３０は文字板２０の裏側方向へずらして設置されている。地球表示板５０の表面と月表示板３０の表面は同じレベルに設定されている（図３参照）。
【００２３】
背景板４０は、金属あるいは合成樹脂などの薄い板材から形成された円盤であり、中央に円形の開口４１を有する。背景板４０は、文字板２０の裏側において、図示しないステーを介してケース４に固定されている。
背景板４０は、月表示板３０の裏面に沿って配置されている。背景板４０の開口４１内には、後述する月表示板３０の裏面の歯車および地球表示板５０の歯車などが収容されている。
【００２４】
月表示板３０には、中央から外れた部位に円形の月表示孔３２が形成されている。背景板４０の表面は一部が月表示孔３２から露出され、露出された表面が月の満ち欠け状態として表示部２の外から視認されるようになっている。
このような月の満ち欠けを表すために、背景板４０の表面には、開口４１の周囲に内領域４２が形成され、その周囲に外領域４３が形成されている。
【００２５】
本実施形態において、内領域４２は黒色など暗い色の塗装により形成され、外領域４３は黄色など明るい色の塗装により形成されている。
内領域４２は、月の影を表現できればよく、黒色に限らず濃い茶色や濃い紺色など外領域４３より暗い色であればよい。
外領域４３は、月の光る部分を表現できればよく、黄色に限らず、白色など内領域４２より明るい色であればよい。
これらの内領域４２および外領域４３は、塗装によって形成してもよいが、他の表面処理によって着色してもよく、あるいは着色されたフィルムを貼ってもよい。なお、本実施形態において、内領域４２を単に暗領域、外領域４３を外領域と呼ぶことがある。
【００２６】
本実施形態において、内領域４２の輪郭は真円であるが、回転中心Ｃに対して図１下方へ大きく偏心している。内領域４２の回転中心Ｃから最も離れた部位の回転中心Ｃからの距離と、月表示孔３２の回転中心Ｃから最も離れた部位の回転中心Ｃからの距離とは、ともに距離Ｒ１で略一致している。内領域４２の回転中心Ｃに最も近い部位の回転中心Ｃからの距離と、月表示孔３２の回転中心Ｃに最も近い部位の回転中心Ｃからの距離とは、ともに距離Ｒ２で略一致している（図１参照）。
【００２７】
このような内領域４２の形状により、背景板４０に対する月表示板３０の回転角度位置に応じて、月表示孔３２からは内領域４２および外領域４３が所定の比率で表れる。
文字板２の６時方向（図１の下側）に月表示孔３２がある場合、月表示孔３２からは専ら内領域４２が表れ、新月を表す状態となる（図２の表示Ｖ１）。
文字板２の１２時方向（図１の上側）に月表示孔３２がある場合、月表示孔３２からは専ら外領域４３が表れ、満月を表す状態となる（図２の表示Ｖ５）。
【００２８】
新月と満月との途中にあっては、内領域４２および外領域４３の両方が表れる。この際、背景板４０に対する月表示孔３２の位置に応じて比率が変化する。すなわち、文字板２の４時３０分方向では内領域４２が多い三日月の状態（図２の表示Ｖ２）、３時方向では内領域４２と外領域４３が半々となる半月の状態（図２の表示Ｖ３）、１時３０分方向では外領域４３が多い状態（図２の表示Ｖ４）となる。
以上のように、内領域４２および外領域４３を有する背景板４０と、月表示孔３２を有する月表示板３０とにより、月の満ち欠けを表示することができる。
図１では、満月をやや過ぎた月齢１８日の状態が表れており、月表示孔３２には内領域４２に対して外領域４３が多い下弦の月として表れている。
【００２９】
本実施形態において、文字板２０には、通常の１２時制の時間目盛２３の内側に、２４時制の時間目盛２８が形成されている。
時間目盛２８としては、１２時制の１２時方向に２４時を表す「２４」の表示、３時方向に１８時を表す「１８」の表示、６時方向に１２時を表す「１２」の表示、９時方向に６時を表す「６」の表示が形成されている。つまり、文字板２０における１２時制の時間目盛２３が時計回りであるのに対し、２４時制の時間目盛２８は反時計回りに形成されている。
【００３０】
このような２４時制の時間目盛２８を用いて、各月齢における南中時刻を読み取ることができる。
すなわち、前述した新月の状態は月表示孔３２が文字板２の下側（図２の表示Ｖ１）にある時である。この状態で月表示孔３２に最寄りの時間目盛２８は「１２」であり、これにより新月の南中時刻は１２時（正午）と読み取ることができる。同様に、半月（図２の表示Ｖ３）は１８時、満月（図２の表示Ｖ５）は２４時（深夜０時）であると読み取ることができる。
図１では、満月をやや過ぎた月齢１８日の状態が表れており、月表示孔３２は時間目盛２８の３時に相当する位置にあり、これにより月齢１８日の月の南中時刻は３時と読み取ることができる。
【００３１】
文字板２０において、通常の１２時制の時間目盛２３の６時の部位（図１中下端）は、他の目盛とは異なり、円形の太陽表示部２７とされている。
この１２時制の６時部位は、前述した背景板４０における内領域４２の偏心する方向であり、この太陽表示部２７の配置は、内領域４２の偏心方向と反対側に表れる満月に対して回転中心Ｃを挟んで向き合う状態となっている。
【００３２】
このような太陽表示部２７を用いて、各月齢における月と地球と太陽の相対的な位置関係を読み取ることができる。
すなわち、前述した新月の状態は月表示孔３２が文字板２の下側（図２の表示Ｖ１）にある時である。この状態では、月表示板３０の内側にある地球表示板５０と太陽表示部２７との間に月表示孔３２があり、新月の状態では地球、月、太陽の順で並ぶことが解る。半月の状態では月表示孔３２が図１の右側、太陽表示部２７が図１の下側であり、地球から見て月と太陽が９０度の角度となることが解る。満月の状態では月表示孔３２が図１の上側、太陽表示部２７が図１の下側であり、地球から見て月と太陽が反対側にあり、つまり月、地球、太陽の順で並ぶことが解る。
【００３３】
本実施形態においては、更に、地球表示板５０を用いることで、地球から見た月の方角をも読み取ることができる。
地球表示板５０には、その表面の周縁に三角形の現在位置表示部５２が形成されている。現在位置表示部５２を地球上の現在位置に見立てることで、現在位置表示部５２と月表示板３０の月表示孔３２との位置関係から、現在位置から見える月の方角を読み取ることができる。このために、地球表示板５０を１日１回転で駆動し（地球の自転に相当）、かつ月表示板３０を月齢周期で回転駆動（月の公転に相当）するとともに、地球表示板５０と月表示板３０との位相を合わせておく必要がある。地球表示板５０および月表示板３０の回転駆動については駆動機構３として後述する。
【００３４】
地球表示板５０と月表示板３０との位相合わせとしては、前述した満月の南中の際に月が地球の正面に見えればよい。従って、月表示板３０を回転させ、月表示孔３２が図１の上側にある状態としたうえで、地球表示板５０を回転させ、現在位置表示部５２が図１の上側に向いた状態に合わせればよい。
なお、地球表示板５０と月表示板３０との位相合わせは、製造時に合わせておいてもよく、あるいはリュウズ等を用いてユーザが操作できるようにしてもよい。
【００３５】
地球表示板５０の位相調整の際には、現在位置表示部５２が図１の上側（２４時制の０時０分）とするのに合わせて、時針２１および分針２２も０時０分となるように調整する。これにより、２４時制の時間目盛２８における現在位置表示部５２の表示時刻と、１２時制の時間目盛２３における時針２１および分針２２による表示時刻が一致する。
図１では、時間目盛２８における現在位置表示部５２の表示時刻および時間目盛２３における時針２１および分針２２による表示時刻はともに２２時０８分となっている。
【００３６】
以上より、前述した地球表示板５０および月表示板３０の回転駆動を行うことで、月と地球との位置関係が維持され、現在位置表示部５２から見た月表示孔３２の方角（右か左か正面かなど）を読み取ることができる。
図１では、満月をやや過ぎた月齢１８日の状態が表れており、月表示孔３２が時間目盛２８の３時方向にあるのに対し、現在位置表示部５２は時間目盛２８の２２時０８分方向であり、現在位置表示部５２に対して月表示孔３２は約７０度左にある。この状態から、現在の月は東方向（南を向いた状態での左方向）にあり、かつ７０度という角度から東の低い位置にあることが推定できる。
【００３７】
前述した地球表示板５０および月表示板３０の回転駆動を実現するために、腕時計１には駆動機構３が構成されている。この駆動機構３は、本発明における月駆動機構および地球駆動機構を兼ねるものであり、具体的には時針２１の駆動力を利用する歯車機構６０により構成されている。
歯車機構６０は、第１ないし第６の歯車６１〜６６と、第４歯車６４に固定された爪部６７とを備えている。
第１歯車６１は時針２１の回転軸２５に固定され、第２歯車６２は第１歯車６１と第３歯車６３とに噛み合わせられ、第１歯車６１の回転を第３歯車６３に伝達する。第１歯車６１と第３歯車６３とは同歯数とされ、等速で同方向、つまり時計回りに１２時間で１回転（１日で２回転）する。
【００３８】
第３歯車６３には第４歯車６４が固定され、第４歯車６４には第５歯車６５が噛み合わせられ、第５歯車６５は地球表示板５０に固定されている。第５歯車６５は歯数が第４歯車６４（時計回りに１日で２回転）の２倍とされており、従って第５歯車６５および地球表示板５０は反時計回りに２４時間で１回転（１日で１回転）する。
第４歯車６４の表面には爪部６７が形成され、爪部６７は第６歯車６６に噛み合わせられ、第６歯車６６は月表示板３０に固定されている。第６歯車６６は歯数５９枚とされている。爪部６７は第４歯車６４に従って時計回りに１日で２回転し、第６歯車６６を反時計回りに１日で歯車２枚分回転させる。つまり、第６歯車６６および月表示板３０は５９枚を１日２枚ずつ駆動され、反時計回りに２９．５日で１回転する。これにより、月表示板３０は略月齢周期で回転駆動される。
【００３９】
このような歯車機構６０により、時針２１の回転駆動を利用して、月表示板３０が反時計回りに２９．５日で１回転され、地球表示板５０が反時計回りに１日で１回転され、これらにより前述した月の満ち欠け、月の南中時刻表示、月と地球と太陽との運行関係、現在位置からの月の方角が模式的に表示される。
以上のような歯車機構６０により、時針２１の回転駆動を利用する駆動機構３が構成され、この駆動機構３により本発明の月駆動機構および地球駆動機構が実現されている。
【００４０】
本実施形態によれば、以下のような効果が得られる。
本実施形態では、月表示板３０に形成された円形の月表示孔３２により月が表され、この月表示孔３２を透して、背景板４０の内領域４２および外領域４３が露出され、これらの月表示孔３２内の内領域４２および外領域４３により月の満ち欠けを表現することができる。
【００４１】
月表示板３０を背景板４０および文字板２０に対して２９．５日（近似的な月齢速度）で１回転させるようにするとともに、周囲の文字板２０に２４時制の時間目盛２８を形成することで、月の満ち欠けとともに月の南中時刻を容易に読み取ることもできる。
【００４２】
本実施形態において、内領域４２の輪郭を真円としたため、製造を容易にすることができる。
また、内領域４２および月表示孔３２の回転中心Ｃからの距離関係を適切に設定することで、円形の内領域４２とその外側の外領域４３で月表示孔３２内の満ち欠けの表現を最適な状態で行うことができる。
【００４３】
本実施形態では、月表示板３０の内側に地球表示板５０を設置し、地球表示板５０の表面に現在位置表示部５２を形成し、地球表示板５０を背景板４０および文字板２０に対して月表示板３０と同方向へ一日で一回転させるようにしたため、現在位置表示部５２と月表示孔３２との位置関係から月の見える方角を読み取ることができる。
【００４４】
本実施形態では、文字板２０に太陽表示部２７を設けたため、太陽表示部２７により太陽が表現され、月表示孔３２で表現される月と、地球表示板５０で表現される地球との三者の相対位置を把握することができ、満潮と干潮、大潮と小潮、潮汐力などの自然現象をイメージしやすくすることができる。
【００４５】
本実施形態においては、内領域４２を表示部２の下側に偏心するように配置したため、月表示孔３２が上側にある際に満月、下側にある際に新月となり、満月が最も上側にあることで現実感が得やすいとともに、新月の前後の月齢が下側になることで、暗領域が上で明領域が下となる現実の月の見え方に近いものとすることができる。
【００４６】
本実施形態において、指針式の腕時計１の文字板２０内に月表示板３０を配置し、回転中心Ｃは腕時計１の時針２１、分針２２の回転軸２４，２５と同軸としたため、各回転部分を同軸として組み込み容易であるとともに、駆動機構３の駆動源として腕時計１の駆動源を流用することができる。そして、時計としての機能に月齢表示、月の運行表示機能を付加することで、腕時計１としての商品性を高めることができる。
【００４７】
［第２実施形態］
前述した第１実施形態は、地球を表す地球表示板５０およびその周囲の月表示板３０が反時計回りに移動していた。これは、地球の北極側から北半球を眺めた際の状態に相当する。南半球での利用に際しては、南極側から見える状態とするために、一部の配置を変更することが望ましい。
図５および図６には、本発明の第２実施形態が示されている。
図５は、本実施形態の腕時計１の表示部２を示す平面図（第１実施形態の図１相当）である。図６は、駆動機構３を示す模式図（第１実施形態の図４相当）である。
【００４８】
図５および図６において、本実施形態は前述した第１実施形態と同様な腕時計１、表示部２、駆動機構３を備え、各々を主な構成である文字板２０、月表示板３０、背景板４０、地球表示板５０、歯車機構６０も同様に構成されている。これら同様の構成については簡略化のため説明を省略し、以下異なる部分について説明する。
【００４９】
本実施形態において、前述した第１実施形態との主な相違は、月表示板３０および地球表示板５０の回転方向が逆になっている点であり、これに伴って文字板２０に形成された時間目盛２８の向きも逆となっており、駆動機構３にも回転方向を逆にするための変更が加えられている。
【００５０】
図５において、月表示板３０および地球表示板５０が時計回りに回転する。つまり、本実施形態の月表示板３０および地球表示板５０は、前述した第１実施形態とは回転方向が逆になっている。このような時計回りの回転により、月表示板３０の月表示孔３２が表す月および地球表示板５０は南極側から見た状態で回転することになり、南半球においては見た状態を自然なものとすることができる。
【００５１】
文字板２０に形成された２４時制の時間目盛２８は、１２時制の１２時方向に２４時を表す「２４」の表示、９時方向に１８時を表す「１８」の表示、６時方向に１２時を表す「１２」の表示、３時方向に６時を表す「６」の表示が形成されている。つまり、文字板２０における１２時制の時間目盛２３と同様、２４時制の時間目盛２８も時計回りに形成されている。
【００５２】
これにより、月表示板３０および地球表示板５０と同様に時間目盛２８も前述した第１実施形態とは逆向きとなり、月表示板３０および地球表示板５０と時間目盛２８との関係が維持され、月表示孔３２による南中時刻および現在位置表示部５２が示す２４時制の時刻が適切に表示される。
【００５３】
図６において、本実施形態の駆動機構３は、前記第１実施形態と同様に、回転軸２５の駆動力を歯車機構６０で伝達するものであるが、月表示板３０および地球表示板５０を逆回転させるために反転用歯車６８が追加されており、更に爪部６７の向きが逆になっている。
反転用歯車６８は、第２歯車６２と同じ歯数とされ、第２歯車６２から第３歯車６３への伝達にあたって単に回転方向を逆にするものである。
爪部６７は、第３歯車６３および第４歯車６４の回転方向が逆になることに伴い、第６歯車６６との噛み合いを円滑にするためのスロープ部分の向きが逆になったものである。
【００５４】
このような歯車機構６０においては、回転軸２５から第２歯車６２までの回転は前述した第１実施形態と同じであるが、反転用歯車６８によりそれ以降の回転方向が逆とされ、月表示板３０および地球表示板５０は前記第１実施形態と逆向きに回転することになる。但し、回転速度に変更はない。
このような歯車機構６０を備えた駆動機構３により、月表示板３０および地球表示板５０が時計方向に回転し、南半球用の表示を実現することができる。
なお、本実施形態において、上述した構造的な相違以外は前述した第１実施形態と全く同様の作用効果が得られる。
【００５５】
［第３実施形態］
前述した第１実施形態では、表示部２の上側に満月が表示され、下側に新月が表示されるようにしたが、この配置を逆にしてもよい。
図７には、本発明の第３実施形態の腕時計１の表示部２を示す平面図（第１実施形態の図１相当）である。
図７において、本実施形態は前述した第１実施形態と同様な腕時計１、表示部２、駆動機構３を備え、各々を主な構成である文字板２０、月表示板３０、背景板４０、地球表示板５０も同様に構成されている。これら同様の構成については簡略化のため説明を省略し、以下異なる部分について説明する。
【００５６】
本実施形態において、前述した第１実施形態との主な相違は、背景板４０の内領域４２の偏心方向が逆になっている点である。
すなわち、第１実施形態では、内領域４２を表示部２の下側に偏心するように配置し、月表示孔３２が上側にある際に満月、下側にある際に新月となるようにしていた。これに対し、本実施形態では、内領域４２を表示部２の上側に偏心するように配置し、月表示孔３２が上側にある際に新月、下側にある際に満月となる。
【００５７】
このような満月と新月との関係に合わせて、本実施形態では太陽表示部２７も第１実施形態の反対側、つまり文字板２０の上側（１２時制の１２時位置）に設置されている。
また、月表示板３０の位相が１８０度ずらされており、文字板２０の２４時制の時間目盛２８も上側（１２時制の１２時位置）が１２時、下側（１２時制の６時位置）が２４時とされている。
更に、月表示板３０および地球表示板５０の回転方向が時計回りとされ、時間目盛２８も時計回りの配置とされている。月表示板３０および地球表示板５０を時計回りに回転させる手段としては、前述した第２実施形態の歯車機構６０を利用すればよい。
【００５８】
このような本実施形態では、太陽が上側であることが前提となるため、月と地球と太陽との関係を表す場合に理解が容易である。
また、月表示孔３２に対応した２４時制の表示を設置する場合に、０時（２４時）が下、１２時が上になるため、一日の生活周期としても馴染みやすいといえる。
【００５９】
なお、このような新月を上、満月を下にした配置についても、月表示板３０および地球表示板５０の回転方向、時間目盛２８の配置を逆にすることで、南半球用とすることができる。
【００６０】
［第４実施形態］
前述した第１実施形態では、地球表示板５０を用い、現在位置表示部５２による月の方角表示を行ったが、地球表示板５０のない月齢表示装置とすることもできる。
図８ないし図１１には、本発明の第４実施形態が示されている。
図８は、本発明に係る月齢表示装置である腕時計１の表示部２を示す平面図である。図９は、表示部２およびその駆動機構３を示す分解斜視図である。図１０は、表示部２および駆動機構３を示す断面図である。図１１は、駆動機構３を示す模式図である。
【００６１】
図８ないし図１０において、本実施形態は前述した第１実施形態と同様な腕時計１、表示部２、駆動機構３を備え、各々を主な構成である文字板２０、月表示板３０、背景板４０、歯車機構６０も同様に構成されている。これら同様の構成については簡略化のため説明を省略し、以下異なる部分について説明する。
【００６２】
本実施形態において、月表示板３０は、中央の開口３１は回転軸２５を挿通するのに必要な最小限の大きさとされ、回転軸２５の周囲で回転可能である。
月表示板３０の月表示孔３２、背景板４０の構成は前記第１実施形態と同様であり、背景板４０に対する月表示板３０の回転角度位置に応じて、月表示孔３２からは内領域４２および外領域４３が所定の比率で表れる。
図９において、表示Ｖ１〜Ｖ５は、それぞれ第１実施形態における図２の表示Ｖ１〜Ｖ５と全く同様に表れ、これにより月の満ち欠けを表示することができる。
文字板２０に形成された２４時制の時間目盛２８も前記第１実施形態と同様であり、各月齢における南中時刻を読み取ることができる。
【００６３】
文字板２０に形成された円形の太陽表示部２７も前記第１実施形態と同様であり、各月齢における月と地球と太陽の相対的な位置関係を読み取ることができる。なお、本実施形態では第１実施形態のような地球表示板５０がないが、文字板２０の中心の回転軸２４，２５を地球に見立てることで月、地球、太陽の相対位置関係を読み取ることができる。
すなわち、前述した新月の状態は月表示孔３２が文字板２の下側（図９の表示Ｖ１）にある時である。この状態では、回転軸２４，２５と太陽表示部２７との間に月表示孔３２があり、新月の状態では地球、月、太陽の順で並ぶことが解る。半月の状態では月表示孔３２が図１の右側、太陽表示部２７が図１の下側であり、地球から見て月と太陽が９０度の角度となることが解る。満月の状態では月表示孔３２が図１の上側、太陽表示部２７が図１の下側であり、地球から見て月と太陽が反対側にあり、つまり月、地球、太陽の順で並ぶことが解る。
但し、前記第１実施形態では可能であった、地球から見た月の方角を読み取ることは、地球表示板５０による効果であり、本実施形態では得られない。
【００６４】
本実施形態の駆動機構３は、前記第１実施形態と同様に、時針２１の駆動力を利用する歯車機構６０により構成されている。但し、本実施形態の歯車機構６０においては、地球表示板５０の省略およびこれに関連して回転速度の設定が変更されている。
歯車機構６０は、第１歯車６１，第２歯車６２、第３歯車６３、第６歯車６６、爪部６７を備えている。前記第１実施形態との相違は、地球表示板５０の省略に伴って第４歯車６４、第５歯車６５が省略されている点、第３歯車６３が第１歯車６１の半分の回転速度（１日で１回転）とされている点、爪部６７が２個、第３歯車６３の表面に直接形成されている点である。
【００６５】
第１歯車６１は時針２１の回転軸２５に固定され、第２歯車６２は第１歯車６１と第３歯車６３とに噛み合わせられ、第１歯車６１の回転を第３歯車６３に伝達する。第１歯車６１と第２歯車６２は同歯数であるが、第３歯車６３は第１歯車６１の２倍の歯数とされ、時計回りに２４時間で１回転（１日で１回転）する。
第３歯車６３の表面には２個の爪部６７が形成され、爪部６７は第６歯車６６に噛み合わせられ、第６歯車６６は月表示板３０に固定されている。第６歯車６６は歯数５９枚とされている。第３歯車６３が時計回りに１日で１回転することで、第３歯車６３に形成された２個の爪部６７により、第６歯車６６は反時計回りに１日で歯車２枚分回転される。つまり、第６歯車６６および月表示板３０は５９枚を１日２枚ずつ駆動され、反時計回りに２９．５日で１回転する。これにより、月表示板３０は略月齢周期で回転駆動される。
【００６６】
このような歯車機構６０により、時針２１の回転駆動を利用して、月表示板３０が反時計回りに２９．５日で１回転され、前述した月の満ち欠け、月の南中時刻表示、月と地球と太陽との運行関係が模式的に表示される。
以上のような歯車機構６０により、時針２１の回転駆動を利用する駆動機構３が構成され、この駆動機構３により本発明の月駆動機構が実現されている。
【００６７】
本実施形態によれば、地球表示板５０の効果である月の見える方角の読み取りを除いて、第１実施形態と同様な効果が得られる。
また、駆動機構３においては、地球表示板５０の省略に伴って、第４歯車６４、第５歯車６５が省略でき、構造を簡略化することができる。
【００６８】
［第５実施形態］
前述した第４実施形態は、第１実施形態と同様に北半球仕様である。第１実施形態に対する第２実施形態のように、月表示板３０および時間目盛２８を逆回転とすることにより、前述した第４実施形態も南半球仕様とすることができる。
【００６９】
本実施形態において、表示部２に表れる文字板２０、月表示板３０、背景板４０については同様であるため、説明を省略する。前述したように、本実施形態においては、月表示板３０の回転方向を第４実施形態とは逆の時計回りとし、これに対応して時間目盛２８も逆回りに配置する。
【００７０】
一方、駆動機構３においては、月表示板３０の回転方向を第４実施形態とは逆の時計回りとするために、歯車機構６０の構成が変更されている。
図１２において、歯車機構６０は、第１歯車６１，第３歯車６３、第６歯車６６、爪部６７で構成されており、第４実施形態における第２歯車６２が省略されている。
【００７１】
第１歯車６１は時針２１の回転軸２５に固定され、第３歯車６３は第１歯車６１に直接噛み合わせられている。第３歯車６３は第１歯車６１の２倍の歯数とされ、反時計回りに２４時間で１回転（１日で１回転）する。第４実施形態と同様に、第３歯車６３の表面には２個の爪部６７が形成されている。但し、第３歯車６３の回転方向が逆になるため、爪部６７は逆向きに形成されている。第６歯車６６は歯数５９枚とされ、１日で歯車２枚分回転されることで、第６歯車６６および月表示板３０は時計回りに２９．５日で１回転する。これにより、月表示板３０の回転方向を第４実施形態とは逆の時計回りで回転させることができる。
【００７２】
このような第５実施形態によれば、前述した第４実施形態と同様な効果が得られるとともに、南半球仕様とすることができる。
【００７３】
［第６実施形態］
前記第１〜第５の各実施形態では、月表示板４０の表面に形成される内領域４２を明度が低い暗領域とし、外領域４３を明度が高い明領域とした。しかし、本発明において明暗は任意であり、前記各実施形態とは逆に、外領域４３を明度が低い暗領域とし、内領域４２を明度が高い明領域としてもよい。
図１３には、本発明の第６実施形態が示されている。本実施形態は前述した第４実施形態と同様な腕時計１、表示部２、駆動機構３を備え、各々を主な構成である文字板２０、月表示板３０、背景板４０、歯車機構６０も同様に構成されている。これら同様の構成については簡略化のため説明を省略し、以下異なる部分について説明する。
【００７４】
本実施形態において、背景板４０は、内領域４２が明度の高い明領域とされ、外領域４３が明度の低い暗領域とされている。このような背景板４０を用いることで、月表示板３０の月表示孔３２から現れる月の満ち欠けの明暗が前記第４実施形態とは逆になる。つまり、文字板２０において、上側が新月、下側が満月、左側が上弦の半月、右側が下限の半月になる。
背景板４０の変更による月表示孔３２から現れる月の満ち欠けの変化に伴って、太陽表示部２７も文字板２０の上側（新月となる側）に変更され、２４時制の時間目盛２８も半回転した位置に変更されている。
このような本実施形態によっても、前述した第４、第５の各実施形態と同様な各効果を得ることができる。
更に、前述した第４実施形態（北半球仕様）と同じ機構部分をそのまま利用して、背景板４０および文字板２０を交換することで、南半球仕様とすることができる。
【００７５】
［第７実施形態］
前記第１〜第６の各実施形態では、月表示板４０の表面に形成される内領域４２の周縁を真円形状としたが、その一部を湾曲等させてもよい。
図１４には、本発明の第７実施形態の背景板４０が示されている。本実施形態の他の構成は前述した各実施形態と同様であり、同様の構成については簡略化のため説明を省略する。
本実施形態の背景板４０において、内領域４２は暗領域とされ、外領域４３は明領域とされ、内領域４２の外周形状が略円形である点は前記第１〜第５の実施形態と同様である。
ここで、本実施形態の内領域４２は、外周形状のうち新月の部分４２１が外側に拡げられ、満月の部分４２２が内側に縮小されている。このため、新月の状態では月表示孔３２の内側を確実に暗い内領域４２のみとすることができる。また、満月の状態では月表示孔３２の内側を確実に明るい外領域４３のみとすることができる。
さらに、外周形状のうち左右の半月の部分４２３は直線とされ、半月の状態では月表示孔３２の内側で暗い内領域４２に対して明るい外領域４３が半円形に現れるようにすることができる。
このように、内領域４２の外周形状を調整することにより、月表示孔３２の内側に現れる月齢に応じた月の満ち欠け表示の状態を最適なものとすることができる。
【００７６】
［参考例］
前記第７各実施形態では、月表示板４０の表面に形成される内領域４２の周縁を変形し
、月齢に応じた月の満ち欠け表示の状態を改善するようにしたが、各月齢において月表示
孔３２の内側に現れる形状をそのまま内領域４２の外周に形成するようにしてもよい。
図１５には、本発明の参考例の背景板４０が示されている。本参考例の他の構成は前述した各実施形態と同様であり、同様の構成については簡略化のため説明を省略す
る。
本参考例において、背景板４０に形成された内領域４２の外周は、その周長が月表示
板３０の月表示孔３２の内径の３０倍に設定され、内領域４２の外周上には３０箇所の表
示位置（図中二点鎖線で表示された月表示孔３２の配列に相当）が設定されている。
【００７７】
各表示位置のうち、図中上半分の表示位置（下弦の半月から新月を経て上弦の半月まで）では、内領域４２の外周がそれぞれ凸の円弧形状４２Ａとされている。これにより、月表示孔３２が同表示位置にある場合、月表示孔３２内には明るい外領域４３が細く現れ、月齢２３から月齢７程度の大きく欠けた月が実際に近い形で現れる。
新月の位置（図中上端側）では凸の円弧形状４２Ａであるが、その輪郭はほぼ半円であり、月表示孔３２内には専ら暗い内領域４２が現れる。
一方、図中下半分の表示位置（上弦の半月から満月を経て下弦の半月まで）では、内領域４２の外周がそれぞれ凹の円弧形状４２Ｃとされている。これにより、月表示孔３２が同表示位置にある場合、月表示孔３２内には暗い内領域４２が細く現れ、月齢８から月齢２２程度の欠けの少ない月が実際に近い形で現れる。
満月の位置（図中下端側）では凹の円弧形状４２Ｃであるが、その輪郭はほぼ半円であり、月表示孔３２内には専ら明るい外領域４３が現れる。
【００７８】
上弦および下弦の半月の状態（図中左側および右側）では、その輪郭は直線であり、月
表示孔３２内にはそれぞれ明るい外領域４３と暗い内領域４２とが半々に現れて半月とな
る。
なお、この半月の表示位置は新月から満月までが１６箇所（全周で３０箇所）であり、
新月と満月とのちょうど中間にはないため、最寄りの表示位置に設定されている。本実施
形態では新月寄りに設定しているが、満月寄りの表示位置としてもよい。また、上弦側を
新月より、下弦側を満月寄りとしてもよい。
以上のように、本参考例によれば、各月齢において月表示孔３２内により現実的な月
の満ち欠け画像を表現することができ、視認した際の現実感を一層高めることができる。
【００７９】
なお、本参考例では、内領域４２の外周上の各表示位置に月表示孔３２を確実に配置
することが望ましい。このため、背景板４０に対して月表示板３０を回転させる際には、
前述した各実施形態のような駆動機構に、各表示位置に月表示孔３２が停止するようなラ
ッチ等を追加することが望ましい。あるいは、専用のモータ等を用いる別個の駆動機構を
設置し、各表示位置に月表示孔３２が停止するように送り動作を行うことが望ましい。
【００８０】
また、前述した通り、本参考例では内領域４２の外周上の各表示位置が３０箇所とさ
れ、月齢が一巡する周期である約２９．５日より０．５日分多い。このため、駆動機構に
おいては、月表示板３０が３０日で一周する速さに設定し、かつ５９日進む毎に１日分先
送りして二周するように、駆動機構による表示位置の送り動作を調整することが望ましい
。
【００８１】
本参考例では、内領域４２の周縁に形成される円弧形状（表示位置）を全周で３０箇
所としたが、他の数としてもよい。
例えば、２８個とすれば、４の倍数となるため、新月、上弦の半月、満月、下弦の半月
を内領域４２の周縁に９０度間隔で均等に配置することができる。さらに、８個としても
よく、この場合、新月、上弦の三日月、上弦の半月…のように中間的な表示が概略的にな
る反面、各表示位置における月の満ち欠け形状を一層現実的に表すことができる。なお、
このような表示位置の数を採用する場合、各表示位置に適切なタイミングで月表示孔３２
が送られるように、月表示板３０の回転を制御することが必要であり、月表示板３０の駆
動に独立した駆動機構を用いることが望ましい。
【００８２】
［変形例］
なお、本発明は前述した各実施形態に限定されるものではなく、以下に示すような変形なども本発明に含まれる。
前記各実施形態では、月駆動機構あるいは地球駆動機構をも兼ねる駆動機構３として時針２１の回転軸２５の動力を利用する歯車機構６０を採用したが、独立した駆動源を用いるようにしてもよい。
【００８３】
図１６において、内領域４２を有する背景板４０および月表示孔３２を有する月表示板３０は前述した各実施形態と同様である。ここで、月表示板３０を背景板４０に対して回転させる月駆動機構として、独立した駆動機構７０が採用されている。
駆動機構７０は、月表示板３０の裏面に固定された歯車７１を備えている。歯車７１は歯数５９とされている。歯車７１にはジャンパ７２が係合され、月表示板３０は歯車７１の各歯位置に係止される。
【００８４】
歯車７１には駆動歯車７３が噛み合わせられている。駆動歯車７３には同軸でローラ７４が固定され、このローラ７４は超音波モータ７５で時計方向に駆動される。超音波モータ７５によるローラ７４の駆動は、１日あたり駆動歯車７３の歯２枚分である。この駆動により、駆動歯車７３を介して歯車７１および月表示板３０が反時計方向へ回転され、月表示板３０の回転速度は２９．５日に１回転となる。
【００８５】
駆動歯車７３およびローラ７４はスイングアーム７６で支持されている。スイングアーム７６はピン７７で支持されるとともに、駆動歯車７３およびローラ７４を支持する側とは反対側のスプリング７８により、ローラ７４が超音波モータ７５に接触する方向へ押しつけられている。このようなスプリング７８による押しつけによりローラ７４に対する超音波モータ７５による駆動が適切に行われるようになっている。
【００８６】
前記各実施形態では、月の月齢周期を２９．５日と近似的に処理していたが、実際の月齢周期は２９．５３日（より正確には２９．５３０５８９日）とされており、実際の月の運行と本実施形態の装置との間には一周期あたり約０．０３日の誤差が生じ、これが累積してゆくことになる。
仮に、月齢周期を２９．５３日として設定値２９．５日との間の誤差を計算すると、１２周（約１年）で０．３６日、６０周（約５年）で３．６日、３００周（約２５年）では９日進むことになる。
これらの誤差の調整は、手操作により行うようにしてもよいが、駆動機構に補償手段を設けることが望ましい。
【００８７】
例えば、前述した各実施形態では、５９枚の歯車を１日あたり２歯送ることで２９．５日周期を実現していた。ここで、前述した３００周（約２５年）で９日進むのに対応するべく、月表示板３０の回転カウンタを２つ用いて次のような制御を行うことが望ましい。
月表示板３０は５９枚の歯車で１日２歯送る。
月表示板３０が１回転したら２つのカウンタに１を加算する。
第１のカウンタが１６の倍数になったら１歯分の送りを省略する（該当する日は１歯だけ送る）。第１のカウンタはここでリセットする。
第２のカウンタが１００になったら、２つのカウンタをともにリセットする。
このような制御によれば、第２のカウンタがリセットされる１００周目までの間に、第１のカウンタにより１６回転目、３２回転目、４８回転目、６４回転目、８０回転目、９６回転目の各々で、計６回の送り省略（計６歯分つまり３日分）が行われる。従って、３００周で９日分遅らせることができ、前述した３００周（約２５年）で９日進む誤差を相殺することができる。
【００８８】
他の方法として、４９２日に１回、１歯分の送りを省略することで対応が可能である。これは、２９．５日が３００周で８８５０日であり、これを９日分の歯数１８枚で割って４９１．６６６日となることによる。但し、４９２日のカウンタが必要であり、前述した１００周リセットのほうが容易といえる。
【００８９】
一方、独立した駆動機構が利用できる場合など、月表示板３０を月齢周期２９．５３日で送れば、現実の月との誤差を殆ど生じないようにできる。但し、このような送りは３６０度を２９．５３日で割って１２．１９１度／日で行う必要があり、位置検出および制御が煩雑になる虞がある。これらの精度が容易に確保できれば、このような送り動作を実施することで、前述した誤差の累積対応を省略することができる。
【００９０】
一方、前記第１実施形態ないし第３実施形態では、文字板２０に対して背景板４０を固定し、背景板４０に対して月表示板３０を月齢周期で回転させるとともに、背景板４０に対して地球表示板５０を同方向へ１日１回転させていた。
これに対し、地球表示板５０を文字板２０に対して固定し、地球表示板５０に対して背景板４０を１日１回転させるとともに、この背景板４０に対して月表示板３０を月齢周期で回転させてもよい。
【００９１】
このような構成では、例えば地球表示板５０の上端（通常の１２時方向）に現在位置表示部５２を設定すれば、表示部２の上側が常にユーザから見た上空の状態となる。つまり、月表示孔３２で表される月が東から登って西に沈む動き（南に向かって左から登って右に沈む動き）が表現され、北半球における月の運行を解りやすく表現することができる。南半球の場合は逆向きに移動させればよい。
【００９２】
その他、腕時計１の各部は適宜変更してもよく、本発明は腕時計１に限らず置き時計あるいは掛け時計等に適用してもよく、あるいは時計装置に限らず他の器具に組み込んだり、あるいは単独の製品としてもよい。
【産業上の利用可能性】
【００９３】
本発明は、現在の月齢（月の満ち欠け）を表示する月齢表示装置および時計として利用でき、例えば時計などに組み込む等の用途に利用できる。
【図面の簡単な説明】
【００９４】
【図１】本発明に係る第１実施形態を示す平面図である。
【図２】前記第１実施形態を示す分解斜視図である。
【図３】前記第１実施形態を示す断面図である。
【図４】前記第１実施形態の歯車機構を示す模式図である。
【図５】本発明に係る第２実施形態を示す平面図である。
【図６】前記第２実施形態の歯車機構を示す模式図である。
【図７】本発明に係る第３実施形態を示す平面図である。
【図８】本発明に係る第４実施形態を示す平面図である。
【図９】前記第４実施形態を示す分解斜視図である。
【図１０】前記第４実施形態を示す断面図である。
【図１１】前記第４実施形態の歯車機構を示す模式図である。
【図１２】本発明に係る第５実施形態の歯車機構を示す模式図である。
【図１３】本発明に係る第６実施形態を示す平面図である。
【図１４】本発明に係る第７実施形態を示す平面図である。
【図１５】本発明に係る参考例を示す平面図である。
【図１６】本発明の変形例として独立した駆動機構を示す模式図である。
【符号の説明】
【００９５】
１…腕時計、２…表示部、３，７０…月駆動機構および地球駆動機構を兼ねる駆動機構、２０…文字板、２１…時針、２２…分針、２４，２５…回転軸、２７…太陽表示部、２８…時間目盛、３０…月表示板、３２…月表示孔、４０…背景板、４２…暗領域、４３…明領域、５０…地球表示板、５２…現在位置表示部、６０…歯車機構、Ｃ…回転中心
【図１】
0005141308.tif 000002
【図２】
0005141308.tif 000003
【図３】
0005141308.tif 000004
【図４】
0005141308.tif 000005
【図５】
0005141308.tif 000006
【図６】
0005141308.tif 000007
【図７】
0005141308.tif 000008
【図８】
0005141308.tif 000009
【図９】
0005141308.tif 000010
【図１０】
0005141308.tif 000011
【図１１】
0005141308.tif 000012
【図１２】
0005141308.tif 000013
【図１３】
0005141308.tif 000014
【図１４】
0005141308.tif 000015
【図１５】
0005141308.tif 000016
【図１６】
0005141308.tif 000017